(57)【要約】  本開示の態様は、複数のフランジ付き物品を包装するためのキャリア、及び、キャリアを形成するためのブランクに関する。キャリアは、トップパネル、底部パネル、並びに、第１及び第２のサイドパネルを備える。底部パネルは、第１の折り目線に沿って第１のサイドパネルにヒンジ式に連結され、第２のサイドパネルに向かって延在する。保持機構は、物品と係合するために少なくとも第２のサイドパネルに配置される。底部パネルは、第２の折り目線に沿って遠位パネル部分にヒンジ式に連結された近位パネル部分を含む。第２の折り目線は、第１の折り目線と平行に延在し、第１の折り目線から離間している。底部パネルは、物品に係合するための保持補助タブを備える。保持補助タブは、少なくとも近位パネル部分から形成され、遠位パネル部分にヒンジ式に連結される。
2021510136.tif 000002
【特許請求の範囲】
【請求項１】
トップパネル、底部パネル、並びに、第１及び第２のサイドパネルを備える、物品を包装する物品キャリアであって、前記底部パネルは、第１の折り目線に沿って前記第１のサイドパネルにヒンジ連結され、かつ、前記第２のサイドパネルに向かって延在し、保持機構は、物品を係合するために少なくとも前記第２のサイドパネルに配置され、前記底部パネルは、第１の折り目線と平行に間隔を空けて延在する第２の折り目線に沿って遠位パネル部分にヒンジ連結された近位パネル部分を備え、前記底部パネルは、物品に係合するための保持補助タブを備え、前記保持補助タブは、少なくとも前記近位パネル部分から形成され、かつ、前記遠位パネル部分にヒンジ式に連結されており、前記保持補助タブは、前記保持補助タブ及び前記保持機構が第１の折り目線に垂直な一般的概念線上に配置されるように、前記保持機構と整列して配置されることを特徴とする物品キャリア。
【請求項２】
前記一般的概念線が、前記保持補助タブと前記遠位パネル部分との間のヒンジ連結の縦方向の中点を通過し得ることを特徴とする請求項１に記載の物品キャリア。
【請求項３】
前記一般的概念線が、前記保持補助タブによって係合されている前記物品の中心を通過し得ることを特徴とする請求項１に記載の物品キャリア。
【請求項４】
キャリアを形成するためのブランクであって、前記ブランクは、前記キャリアの壁を形成するための複数のパネルを備え、前記複数のパネルは、トップパネル、底部パネル、並びに、第１及び第２のサイドパネルを備え、前記底部パネルは、第１の折り目線に沿って前記第１のサイドパネルにヒンジ連結され、かつ、前記第２のサイドパネルに向かって延在し、保持機構は、物品を係合するために少なくとも前記第２のサイドパネルに配置され、前記底部パネルは、第１の折り目線と平行に間隔を空けて延在する第２の折り目線に沿って遠位パネル部分にヒンジ連結された近位パネル部分を備え、前記底部パネルは、物品に係合するための保持補助タブを備え、前記保持補助タブは、少なくとも前記近位パネル部分から形成され、かつ、前記遠位パネル部分にヒンジ式に連結されており、前記保持補助タブは、前記保持補助タブ及び前記保持機構が第１の折り目線に垂直な一般的概念線上に配置されるように、前記保持機構と整列して配置されることを特徴とするブランク。
【請求項５】
１つ以上の物品を包装するための物品キャリアであって、前記物品キャリアは、上壁、第１の側壁、第１の底部壁、第２の側壁、及び、第２の底部壁を含む管状構造の壁を形成する複数のパネルを備え、前記キャリアは、
シート材料の少なくとも部分的に重なり合う２つの層から形成され、かつ、前記第２の底部壁によって提供される内層と、前記第１の底部壁によって提供される外層と、を含む複合底部壁と：
物品の第１の列の物品に係合するための、かつ、第１の保持タブを有する、第１の保持機構と；
物品の第２の列の物品に係合するための第２の保持機構であって、前記物品の第２の列は、前記物品の第１の列に隣接して配置され、前記第２の保持機構は、第２の保持タブを有し、前記第２の保持タブは、前記第１の保持タブの反対にヒンジ連結される、第２の保持機構と；
備え、
前記第１の底部壁は、
近位パネル部分；
第１のヒンジ連結によって前記近位パネル部分にヒンジ連結された遠位パネル部分；及び、
第３の保持機構；
を備え、
前記第３の保持機構は、物品に係合するための保持補助タブを備え、前記保持補助タブは、少なくとも前記近位パネル部分から形成され、かつ、前記遠位パネル部分にヒンジ連結されており、前記保持補助タブは、前記第２の保持タブの反対にヒンジ連結されていることを特徴とする物品キャリア。
【請求項６】
前記物品キャリアが、フランジ付き物品のための上部係合装置を備えることを特徴とする請求項５に記載の物品キャリア。
【請求項７】
物品が分離されていることを特徴とする請求項６に記載の物品キャリア。
【請求項８】
物品がそれぞれの前記フランジを介して互いに連結されていることを特徴とする請求項６に記載の物品キャリア。
【請求項９】
前記保持補助タブは、前記保持補助タブ及び前記保持機構が前記第１の折り目線に対して垂直な一般的概念線上に配置されるように、前記保持機構と整列して配置されることを特徴とする請求項５に記載の物品キャリア。
【請求項１０】
前記第１の保持タブが、第１の物品に対して半径方向外向きの方向で前記第１の物品と係合することを特徴とする請求項５に記載の物品キャリア。
【請求項１１】
前記保持補助タブが、第２の物品に対して半径方向外向きの方向で、前記第１の物品に隣接する前記第２の物品と係合することを特徴とする請求項５に記載の物品キャリア。
【請求項１２】
前記第２の保持タブが、前記第２の物品に対して半径方向外向きの方向で前記第２の物品と係合することを特徴とする請求項５に記載の物品キャリア。
【請求項１３】
物品が内面を備え、かつ、前記第１、第２及び第３の保持機構が前記内面と係合することを特徴とする請求項５に記載の物品キャリア。
【請求項１４】
物品キャリアを形成するためのブランクであって、前記ブランクは、上壁、第１の側壁、第１の底部壁、第２の側壁、及び、第２の底部壁を含む管状構造の壁を形成する複数のパネルを備え、前記第２の底部壁は、複合底部壁の内層を形成するように配置され、前記第１の底部壁は、前記複合底部壁の外層を形成するように、かつ、前記第２の底部壁と少なくとも部分的に重なって構成されるように配置され、前記ブランクは、
物品の第１の列の物品に係合し、かつ、第１の保持タブを有する、第１の保持機構と；
物品の第２の列の物品に係合するための第２の保持機構であって、前記物品の第２の列は、前記物品の第１の列に隣接して配置され、前記第２の保持機構は第２の保持タブを有し、前記第２の保持タブは、前記第１の保持タブの反対にヒンジ連結されている、第２の保持機構と；
を備え、
前記第１の底部壁は、
近位パネル部分；
第１のヒンジ連結によって前記近位パネル部分にヒンジ連結された遠位パネル部分；及び、
第３の保持機構；
を備え、
前記第３の保持機構は、物品に係合するための保持補助タブを備え、前記保持補助タブは、少なくとも前記近位パネル部分から形成され、かつ、前記遠位パネル部分にヒンジ連結されており、前記保持補助タブは、前記第２の保持タブの反対にヒンジ連結されていることを特徴とするブランク。
【発明の詳細な説明】
【技術分野】
【０００１】
本発明は、カートン及びそれを形成するためのブランクに関する。より具体的には、限定することなく、本発明は、物品をキャリア内で安定化または固定するための保持機構を有するキャリアに関する。
【背景技術】
【０００２】
包装の分野では、複数の物品を運ぶためのカートンを提供することが知られている。カートンは、当技術分野でよく知られており、消費者が消費するために物品の群を輸送、保管、及びアクセスできるようにするのに役立つ。コスト及び環境を考慮して、このようなカートンまたはキャリアはできるだけ少ない材料で形成される必要があり、これらが形成される材料の無駄をできるだけ少なくする必要がある。さらに考慮すべきことは、カートンの強度、及び、大きな重量の物品を保持及び輸送するためのその適合性である。カートンの内容物はカートン内で安全であることが望ましい。
【０００３】
本発明の目的は、物品をキャリア内で安定化または固定するための保持機構を有するキャリアを提供することである。経済的及び環境的利益のために、キャリアを製造するために必要な材料を最小化または削減することが望ましい。
【発明の概要】
【発明が解決しようとする課題】
【０００４】
本発明は、典型的には板紙などから形成されるカートンの分野における改善を提供することを課題とする。
【課題を解決するための手段】
【０００５】
本発明の第１の態様は、複数の物品を包装するためのキャリアを提供する。キャリアは、トップパネル、底部パネル、並びに第１及び第２のサイドパネルを備える。底部パネルは、第１の折り目線に沿って第１のサイドパネルにヒンジ式に連結され、第２のサイドパネルに向かって延在する。保持機構は、物品と係合するために少なくとも第２のサイドパネルに配置される。底部パネルは、第２の折り目線に沿って遠位パネル部分にヒンジ式に連結された近位パネル部分を備える。第２の折り目線は、第１の折り目線と平行に延在し、第１の折り目線から離れている。底部パネルは、物品に係合するための保持補助タブを備える。保持補助タブは、少なくとも近位パネル部分から形成され、遠位パネル部分にヒンジで連結される。
【０００６】
任意選択で、一般的概念線は、保持補助タブと遠位パネル部分との間のヒンジ連結の長手方向の中点を通過し得る。
【０００７】
任意選択で、一般的概念線は、保持補助タブによって係合されている物品の中心を通過し得る。
【０００８】
本発明の第２の態様は、物品キャリアを形成するためのブランクを提供する。ブランクは、キャリアの壁を形成するための複数のパネルを備える。複数のパネルは、トップパネル、底部パネル、並びに第１及び第２のサイドパネルを備える。底部パネルは、第１の折り目線に沿って第１のサイドパネルにヒンジ式に連結され、第２のサイドパネルに向かって延在する。保持機構は、物品と係合するために少なくとも第２のサイドパネルに配置される。底部パネルは、第２の折り目線に沿って遠位パネル部分にヒンジ式に連結された近位パネル部分を備える。第２の折り目線は、第１の折り目線と平行に延在し、第１の折り目線から離れている。底部パネルは、物品に係合するための保持補助タブを備える。保持補助タブは、少なくとも近位パネル部分から形成され、遠位パネル部分にヒンジで連結される。保持補助タブは、保持補助タブ及び保持機構が第１の折り目線に対して垂直な一般的概念線上に配置されるように、保持機構と整列して配置される。
【０００９】
本発明の第３の態様は、１つまたは複数の物品を包装するための物品キャリアを提供する。物品キャリアは、上壁、第１の側壁、第１の底部壁、第２の側壁及び第２の底部壁を備え得る管状構造の壁を形成する複数のパネルを備える。キャリアは、シート材料の少なくとも部分的に重なり合う２つの層から形成され、第２の底部壁によって提供される内層と第１の底部壁によって提供される外層とを含む複合底部壁を備える。第１の保持機構は、物品の第１の列の物品に係合するために提供され、第１の保持タブを備える。第２の列の物品に物品を係合させるために、第２の保持機構が提供される。第２の列の物品は、第１の列の物品に隣接して配置される。第２の保持機構は第２の保持タブを有する。第２の保持タブは、第１の保持タブとは反対にヒンジ連結されている。第１の底部パネルは、近位部分、第１のヒンジ連結によって近位にヒンジ連結された遠位部分、及び、第３の保持機構を備える。第３の保持機構は、物品に係合するための保持補助タブを備える。保持補助タブは、少なくとも近位部分から形成され、遠位パネル部分にヒンジ式に連結される。保持補助タブは、第２の保持タブとは反対側にヒンジ連結されている。
【００１０】
任意選択で、キャリアは、フランジ付き物品のための上部係合装置を備える。
【００１１】
任意選択で、物品は分離されている。
【００１２】
任意選択で、物品は、それぞれのフランジを介して互いに連結される。
【００１３】
任意選択的に、保持補助タブは、保持補助タブ及び保持機構が第１の折り目線に垂直な一般的概念線上に配置されるように、保持機構と整列して配置される。
【００１４】
任意選択で、第１の保持タブは、第１の物品に対して半径方向外向きの方向で第１の物品と係合する。
【００１５】
任意選択で、保持補助タブは、第２の物品に対して半径方向外向きの方向で第１の物品に隣接する第２の物品と係合する。
【００１６】
任意選択で、第２の保持タブは、第２の物品に対して半径方向外向きの方向で第２の物品と係合する。
【００１７】
任意選択で、物品は内側面を含み、第１、第２、及び第３の保持機構は前記内側面と係合する。
【００１８】
本発明の第４の態様は、キャリアを形成するためのブランクを提供する。ブランクは、上壁、第１の側壁、第１の底部壁、第２の側壁及び第２の底部壁を含み得る管状構造の壁を形成する複数のパネルを備える。キャリアは、シート材料の少なくとも部分的に重なり合う２つの層から形成され、第２の底部壁によって提供される内層と第１の底部壁によって形成される外層とを含む複合底部壁を備える。第１の保持機構は、物品の第１の列の物品に係合するために提供され、第１の保持タブを備える。第２の列の物品に物品を係合させるために、第２の保持機構が設けられる。第２の列の物品は、第１の列の物品に隣接して配置される。第２の保持機構は第２の保持タブを有する。第２の保持タブは、第１の保持タブとは反対にヒンジ連結されている。第１の底部パネルは、近位部分、第１のヒンジ連結によって近位にヒンジ連結された遠位部、及び、第３の保持機構を備える。第３の保持機構は、物品に係合するための保持補助タブを備える。保持補助タブは、少なくとも近位部分から形成され、遠位パネル部分にヒンジで連結される。保持補助タブは、第２の保持タブとは反対側にヒンジ連結されている。
【００１９】
本願の範囲内で、前の段落、請求項及び／または以下の説明及び図面に記載された様々な態様、実施形態、例、特徴及び代替案は、独立してまたはそれらの任意の組み合わせで採用され得ることが想定される。例えば、一実施形態に関連して説明された特徴は、特徴の非互換性がない限り、すべての実施形態に適用可能である。
【００２０】
次に、本発明の実施形態を、添付の図面を参照して説明する。
【図面の簡単な説明】
【００２１】
【図１】第１の実施形態による、カートンを形成するためのブランクの上からの平面図である。
【図２】図１のブランクから形成されたカートンの上からの斜視図である。
【図３Ａ】図１のブランクからの図２のカートンの構築段階の下からの斜視図である。
【図３Ｂ】図１のブランクからの図２のカートンの構築段階の下からの斜視図である。
【図４】図１のブランクからの図２のカートンの構築段階の下からの斜視図である。
【図５Ａ】図１のブランクからの図２のカートンの構築段階の下からの斜視図である。
【図５Ｂ】図１のブランクからの図２のカートンの構築段階の下からの斜視図である。
【発明を実施するための形態】
【００２２】
パッケージ、ブランク及びカートンの特定の実施形態の詳細な説明が、本明細書に開示されている。開示された実施形態は、本発明の特定の態様を実施することができる方法の単なる例であり、本発明を実施することができるすべての方法の完全なリストを表すものではないことが理解されよう。本明細書で使用される場合、「例示的」という用語は、例示、標本、モデル、またはパターンとして機能する実施形態を指すために広範に使用される。実際、本明細書に記載されているパッケージ、ブランク、及びカートンは、様々な代替形態で具体化され得ることが理解されよう。図は必ずしも縮尺どおりではなく、一部の機能は特定のコンポーネントの詳細を示すために誇張または最小化されている場合がある。本開示を不明瞭にすることを回避するために、既知のコンポーネント、材料または方法は必ずしも非常に詳細に記載されているわけではない。本明細書に開示される特定の構造的及び機能的詳細は、限定的に解釈されるべきではなく、単に請求項の基礎として、及び当業者に本発明を様々に使用するように教示するための代表的な基礎として解釈されるべきである。
【００２３】
図１を参照すると、以下、物品Ｂと称される、フランジ付き容器、カップまたはヨーグルトポットなどであるがこれに限定されない一次製品の群を収容及び運搬するための、図２に示すようなカートンまたはキャリア９０を形成できるブランク１０の平面図が示されている。ブランク１０は、少なくとも１つの一次製品の容器またはパッケージを包装するための二次パッケージを形成する。
【００２４】
本明細書で詳述する実施形態では、「カートン」及び「キャリア」という用語は、本発明の様々な特徴を例示する非限定的な目的で、一次製品の容器Ｂなどの物品Ｂに係合して運搬するための容器９０を指す。本発明の教示は、先細り及び／または円筒形であってもなくてもよい様々な製品の容器Ｂに適用できると考えられる。他の例示的な容器には、ボトル（例えば、金属、ガラス、またはプラスチックのボトル）、缶（例えば、アルミニウム缶）、ブリキ缶、ポーチ、パケットなどが含まれる。
【００２５】
ブランク１０は、適切な基材のシートから形成される。本明細書で使用される場合、「適切な基材」という用語は、板紙、段ボール、厚紙、プラスチック、それらの組み合わせなどのあらゆる種類の折り曲げ可能なシート材料を含むことを理解されたい。例えば、以下により詳細に記載されるキャリア構造を形成するために適切である場合、１つまたは他の数のブランクが使用され得ることが認識されるべきである。
【００２６】
本明細書に記載されているパッケージング構造またはカートン９０は、板紙などのシート材料から形成され得、これは、その強度を高めるために材料で作られるか、または材料でコーティングされ得る。このようなシート材料の例は、ＷｅｓｔＲｏｃｋ  Ｃｏｍｐａｎｙ製の耐引裂性のＮＡＴＲＡＬＯＣＫ（登録商標）板紙である。耐引裂性材料は、パッケージの耐引裂性を改善するのを助けるために、複数の層によって形成され得ることに留意されたい。典型的には、シート材料の一方の表面は、他方の表面とは異なる特性を有する場合がある。例えば、完成したパッケージから外側に面するシート材料の表面は、特に滑らかであり得、クレイコーティングなどのコーティングまたは良好な印刷適性を提供するための他の表面処理を有し得る。一方、内側に面するシート材料の表面には、コーティング、層、処理が施され得、引裂抵抗性、良好な接着性、断熱性、または、その他の望ましい機能特性などの特性をもたらすために準備され得る。
【００２７】
例示の実施形態では、ブランク１０は、例示の物品Ｂの例示の配置を包装するためのカートンまたはキャリア９０を形成するように構成される。例示の実施形態では、配置は、２行（ｍ＝２）及び２列（ｎ＝２）を有するｍ×ｎマトリックスまたはアレイを有するｍｘｎマトリクスまたはアレイであり、図示の実施形態では、３つの物品Ｂの２列が提供され、物品Ｂは、限定されないが、アルミニウムまたはＰＥＴ（ポリエステル−ポリエチレンテレフタレート）などの金属またはプラスチック材料のカバーまたはフィルム蓋を備えたそれぞれ１１２ｇのカップである。或いは、ブランク１０は、他のタイプ、数及びサイズの物品Ｂを包装するための、かつ／または、例えば、これらに限定されないが、完全に囲まれたカートンまたはバスケットキャリアなどの異なる配置または構成で物品Ｂを包装するためのキャリアを形成するように構成され得、物品Ｂはボトルまたは缶であり得る。
【００２８】
図１を参照すると、第１の実施形態によるカートン９０（図２を参照）を形成するためのブランク１０が示されている。ブランク１０は、管状構造を形成するための複数のメインパネル１２／１４、１６、１８、２０、２２を備える。複数のメインパネル１２／１４、１６、１８、２０、２２は、遠位部分１２及び近位部分１４を有する第１の底部パネル（または外層）１２／１４、第１のサイドパネル１６、トップパネル１８を備える。複数のパネル１２／１４、１６、１８、２０、２２は、対応する折り目線１３、１５、１７、１９、２１によって互いにヒンジ連結されて線形直列に配置され得る。
【００２９】
ブランク１０は、図２に示すように、パッケージ９０を形成するように折り曲げ可能である。第１及び第２の底部パネル１２／１４、２２は、カートンの複合底部壁１２／１４／２２を形成するために重なり合う関係で互いに係合可能である。ブランク１０は、第１の底部パネル１２／１４を第２の底部パネル２２に固定するための相補的なロック機構を備え得る。第１の底部パネル１２／１４の遠位部分１２は、相補的なロック機構の少なくとも１つの第１の部分Ｍを備え得る。第２の底部パネル２２は、相補的ロック機構の少なくとも１つの第２の部分Ｆを備え得る。図示の実施形態では、第１の底部パネル１２／１４の遠位部分１２は、遠位部分１２を近位部分１４にヒンジ式に連結する折り目線に対向する自由端縁から延在する雄タブＭを備える。雄タブМは、折り目線１１の形成においてヒンジ連結によって第１の底部パネル１２／１４の遠位部分１２にヒンジ式に連結される。
【００３０】
相補的ロック機構の第２の部分Ｆは、雄タブＭを受容するための受容部を形成する。
【００３１】
第２の底部パネル２２は、少なくとも部分的受容部を形成する第２の底部パネル２２に開口部またはスロットを画定する雌タブを備える。第２の底部パネル２２の開口部は、雄タブＭを受容するように構成される。雌タブは、第２の底部パネル２２の外に移動されて配置され、開口部を形成し、そこに受容されると雄タブＭに当接するように構成される。いくつかの実施形態では、相補的ロック機構Ｍ／Ｆは省略されてもよく、第１及び第２の底部パネル１２、２０は、限定するものではないが、接着剤またはステープルなどの他の手段によって互いに固定され得る。
【００３２】
図示の実施形態では、第２の部分Ｆは、複数のカットライン６０、６２、６４、６６、６８を備える。第１のカットライン６０は、折り目線２１と同一直線上に配置され、第２の底部パネル２２を第２のサイドパネル２０にヒンジ式に連結する。第１のカットライン６０は、折り目線２１を遮る。第１の対の折り目線６２、６４は、第１のカットライン６０の両端から第２のサイドパネル２０内に延在する。第１の対の折り目線６２、６４は、互いから離れるように配置される。第１の対の折り目線６２、６４は、第２のサイドパネル２０に設けられた第１の変位可能部分を画定する。第２の対の折り目線６６、６８は、第１のカットライン６０の両端から第２の底部パネル２２内に延在する。第２の対の折り目線６６、６８は、互いに対して平行に配置され得る。第２の対の折り目線６６、６８は、第２の底部パネルに設けられた第２の範囲可能部分を画定する。
【００３３】
ブランク１０は、２×２のマトリクスまたはアレイに配置された４つの物品Ｂを収容するように適合されている。ブランク１０は、４つの上部係合構造Ｔを備える。上部係合構造Ｔそれぞれは、構造が実質的に同様であり、第２のサイドパネル２０に形成される上部係合構造Ｔを参照して説明される。
【００３４】
上部係合構造Ｔそれぞれは、カットラインまたは切断可能ライン３０によって画定される開口Ａ１（図２を参照）を備える。カットライン３０は、少なくとも第２のサイドパネル２０から打ち抜かれる。任意選択で、カットライン３０は、湾曲している、または、形が弓形である。カットライン３０は、トップパネル１８と第２のサイドパネル２０との間の折り目線１９を中断する。第２のサイドパネル２０がトップパネル１８に対して折り目線１９で折り曲げられると、カットライン３０が開いて、物品Ｂの一部を受容できる開口部を形成する。図示の実施形態では、開口部Ａ１は、図２に最もよく示されている、物品ＢのフランジＦを受容する。
【００３５】
カットライン３０それぞれは、トップパネル１８の側縁から延在し、それと一体的に形成された突起Ｐ（図２を参照）を画定する。そうでなければ、突起Ｐは、第２のサイドパネル２０を形成するだろう材料から打ち抜かれる。このようにして、突起Ｐは、第１及び第２のサイドパネル１６、２０の１つから打ち抜かれたと見なされ得る。突起Ｐそれぞれは、サイドパネル１６、２０を折り曲げることによって形成された開口部Ａ１に受容される物品Ｂの一部のための保護上部カバーを形成する。図２を参照。
【００３６】
ブランク１０は、物品Ｂのヒール部または下部と係合するための少なくとも１つのヒール部係合構造Ｈ１／Ｈ２を備え得る。図１に図示されるブランク１０は、物品Ｂそれぞれを係合するために形成される４つのヒール部係合構造Ｈ１／Ｈ２を備える。ブランク１０は、一対の第１のヒール部係合構造Ｈ１及び一対の第２のヒール部係合構造Ｈ２を備える。各第１のヒール部係合構造Ｈ１は、構造が実質的に類似しており、第１のサイドパネル１６に設けられた第１のヒール部係合構造Ｈ１の１つを参照してさらに詳細に説明される。構造において、第２のサイドパネル２０に設けられた第２のヒール部係合構造Ｈ２の１つを参照してさらに詳細に説明される。
【００３７】
第１のヒール部係合構造Ｈ１は、保持タブ４４を備える。保持タブ４４は、少なくとも部分的に第１のカットラインまたは切断可能線４７によって画定される。第１のカットライン４７は、第１のサイドパネル１６を第１の底部パネル１２／１４の近位部分１４にヒンジ式に連結する折り目線１５を中断する。第１のカットライン４７は、非線形であり、互いから離れて配置され、互いに繋がる少なくとも２つの線形カットラインから形成され得、或いは、第１のカットライン４７は、形状が湾曲または弓状であり得る。図示の実施形態では、第１のカットライン４７は略「Ｕ」字形である。第２のカットラインまたは切断線４９は、第１のカットライン４７から延在し得る。第２のカットラインまたは切断線４９は、第１のカットライン４７の中央または中心から延在し得る。第２のカットラインまたは切断線４９は、折り目線１５に対して略垂直に配向されるように配置され得る。
【００３８】
第１の保持タブ４４は、第１の保持タブ４４のコーナー部分がコーナー部分で折り曲げられ得るように折り目線を画定する、離れるように配置された一対のカットライン４５ａ、４５ｂを備え得る。カットライン４５ａ、４５ｂは、第１のカットライン４７に向かって収束するように配置される。カットライン４５ａ、４５ｂは、折り目線または破断線で置き換えられて、各コーナー部分と第１の保持タブ４４との間のヒンジ連結を形成し得ることが理解されるだろう。
【００３９】
第１の保持タブ４４は、折り目線４３の形態のヒンジ連結によって第１の底部パネル１２／１４の近位部分１４にヒンジ連結される。折り目線４３は、形状が非線形または曲線であり得る。
【００４０】
第２のヒール部係合構造Ｈ２は、第２の保持タブ５０を備える。第２の保持タブ５０は、少なくとも部分的に第１のカットラインまたは切断可能線５３によって画定される。第１のカットライン５３は、第２のサイドパネルをヒンジ式に連結する折り目線２１を中断する。第１のカットライン５３は、非線形であり得、互いに対して発散的に配置され、互いに隣接する少なくとも２つの線形のカットラインから形成され得るか、或いは、第１のカットライン５３は、曲線または形が弓形です。図示の実施形態では、第１のカットライン５３は略「Ｕ」字形である。第２のカットラインまたは切断線５７は、第１のカットライン５３から延在し得る。第２のカットラインまたはカットライン５７は、第１のカットライン５３の中央または中心から延在し得る。第２のカットラインまたは切断線５７は、折り目線２１に対して略垂直に配向されるように配置され得る。
【００４１】
第２の保持タブ５０は、第２の保持タブ５０のコーナー部分がコーナー部分で折り曲げられように折り目線を画定する、離れるように配置された一対のカットライン５３、５５を備え得る。カットライン５３、５５は、第１のカットライン５３に向かって収束するように配置される。カットライン５３、５５は、折り目線または破断線で置き換えられて、各コーナー部分と第２の保持タブ５０との間にヒンジ連結を形成し得ることが理解されるだろう。
【００４２】
第２の保持タブ５０は、折り目線５１の形態のヒンジ連結によって第２の底部パネル２２にヒンジ連結されている。折り目線５１は、非線形または曲線形状であってもよい。
【００４３】
第２の保持タブ５０は、第１の保持タブ４４よりも寸法が小さくてもよい。一対の第２の保持タブ５０は、互いに離間している。
【００４４】
相補的ロック機構のレシーバーは、隣接して配置された一対の第２の保持タブ５０の間に形成され得る。
【００４５】
ブランク１０は、物品Ｂのヒール部または下部と係合するための少なくとも１つのさらなるまたは第３のヒール部係合構造Ｈ３を備え得る。図１に示されるブランク１０は、それぞれの物品Ｂと係合するために形成される２つのさらなるヒール部係合構造Ｈ３を備える。さらなるヒール部係合構造Ｈ３それぞれは、構造が実質的に同様であり、第１の底部パネル１２／１４に形成されるさらなるヒール部係合構造Ｈ３の１つを参照することによってさらに詳細に説明される。
【００４６】
第３のヒール部係合構造Ｈ３は、保持補助タブ４０を備える。保持補助タブ４０は、少なくとも部分的に、第１のカットラインまたは切断可能線４２ａによって画定される。第１のカットライン４２ａは、第１の底部パネル１２／１４の遠位部分１２を第１の底部パネル１２／１４の近位部分１４にヒンジ式に連結する折り目線１３を中断する。第１のカットライン４２ａは、非線形であり得、互いに対して離れて配置され、互いに繋がる少なくとも２つの線形カットラインから形成され得、或いは、第１のカットライン４２ａは、形状が湾曲または弓状であり得る。図示の実施形態では、第１のカットライン４２ａは略「Ｕ」字形である。
【００４７】
保持補助タブ４０は、保持補助タブ４０のコーナー部分がコーナー部分で折り曲げられ得るように折り目線を画定する、離れるように配置された一対のカットライン４１ａ、４１ｂを備え得る。カットライン４１ａ、４１ｂは、第１のカットライン４２ａに向かって収束するように配置されている。カットライン４１ａ、４１ｂは、折り目線または破断線で置き換えられて、各コーナー部分と保持補助タブ４０との間のヒンジ連結を形成し得ることが理解されるであろう。
【００４８】
保持補助タブ４０は、折り目線４２ｂの形態のヒンジ連結によって第１の底部パネル１２／１４の遠位部分１２にヒンジ連結される。折り目線４２ｂは、形状が非線形または曲線であり得る。
【００４９】
任意選択で、ブランク１０は、引裂きストリップの形態のアクセス装置を備え得る。引裂きストリップは、少なくとも部分的に、第１のサイドパネル１６に定められた一対のカットラインＴ１、Ｔ２によって画定される。引裂きストリップは、トップパネル１８に第１のサイドパネルをヒンジ式に連結する折り目線１７を中断するカットラインによって画定された引裂き開始タブＩを備え得る。
【００５０】
図２に示すカートン９０の構造に参照すると、カートン９０は、直線機械で一連の連続した折り曲げ作業によって形成され得るので、カートン９０を回転または反転してその構造を完成させる必要がない。折り曲げ工程は、以下に説明するものに限定されず、特定の製造要件に応じて変更され得る。
【００５１】
物品Ｂの群が組み立てられる。図２に示す実施形態では、４つの物品Ｂが２×２のアレイに配置されている。ブランク１０のトップパネル１８は、物品群Ｂの上に配置されて、カートン９０の上部壁１８を形成する。図３Ａでは、裏返された物品Ｂがトップパネル１８の内面に配置されていること印象付けられるように、物品Ｂ群及びトップパネル１８が下方から図示される。
【００５２】
第１及び第２の側壁１６、２０は、折り目線１７、１９でトップパネル１８に対してそれぞれ折り曲げられ、これにより、第１及び第２の側壁１６、２０が物品群Ｂの両側に配置される。図３Ｂに示すように。各物品ＢのフランジまたはスカートＳは、図２に最もよく示されるように、第１及び第２の側壁１６、２０が折り曲げられた際に作成される上部係合構造Ｔの開口部Ａ１のそれぞれ１つに受容される。
【００５３】
第２の底部パネル２２は、物品群Ｂの底部に隣接して配置されるように、折り目線２１で折り曲げられる。第２の保持タブ５０それぞれは、隣接して配置された物品Ｂと係合する。図２に示すように、物品Ｂは、第２の保持タブ５０が係合する陥没した底部、リップまたはチャイムＣを備え得る。
【００５４】
第１の底部パネル１２／１４は、折り目線１５で折り曲げられて、物品群Ｂの底部に隣接して配置される。第１の保持タブ４４それぞれは、隣接して配置された物品Ｂと係合する。物品Ｂは、第１の保持タブ４４が係合する底部、リップ、リムまたはチャイムＣを備え得る。このようにして、物品Ｂは、係合可能な内部エッジまたは内面を備える。
【００５５】
第１の底部パネル１２／１４の遠位部分１２は、保持補助タブ４０が第１の底部パネル１２／１４の近位部分１４の平面から外れるように、近位部分１４に対して折り目線１５で折り曲げられる。第１の底部パネル１２／１４の近位部分１４は、第１のサイドパネル１６に隣接する一対の物品Ｂの底部に隣接して配置されるように折り曲げられる。これにより、保持補助タブ４０それぞれは、第２のサイドパネル２０に隣接する物品Ｂの対のそれぞれと係合するようになる。保持補助タブ４０それぞれは、それが係合している物品Ｂと横方向に位置合わせされている。
【００５６】
保持補助タブ４０は、第１の保持タブ４４によって係合される物品Ｂの列に隣接する物品Ｂの列に配置された物品Ｂと係合する。
【００５７】
保持補助タブ４０は、第１の保持タブ４４によって係合される物品Ｂの列とは異なる物品Ｂの列に配置された物品Ｂと係合し得る。
【００５８】
保持補助タブ４０は、第２の保持タブ５０によって係合される物品の同じ列に配置された物品Ｂと係合し得る。
【００５９】
組み立てられたカートン９０が図２に示されている。
【００６０】
各物品ＢのフランジＦは、上部係合構造Ｔの開口部Ａ１内に少なくとも部分的に受容されている。図示する実施形態では、物品Ｂは分離されているか、または隣接する物品のすぐ近くに配置されている個々のカップである。物品Ｂの形状はテーパーが付けられており、より小さい直径を有する端が複合底部パネル１２／１４／２２と接触し、より大きい直径を有する端がトップパネル１８と接触するように、反転されているが実質的に切頭円錐形であると考えることができる。
【００６１】
隣接する２つの物品Ｂの下部の間に空隙または隙間が存在する。
【００６２】
保持補助タブ４０は、第２のサイドパネル２０に隣接する物品Ｂを第１のサイドパネル１６に隣接する物品Ｂに向かって、したがって第１のサイドパネル１６に向かって付勢し得る。
【００６３】
第２の保持タブ５０は、第２のサイドパネル２０に隣接する物品Ｂを、反対方向に、第２のサイドパネル２０に向かって付勢、押す、または押圧し得る。第２の保持タブ５０は、第２のサイドパネル２０に隣接する物品Ｂを付勢して、第２のサイドパネル２０に形成された上部係合構造Ｔの開口部Ａ１と係合させ得る。
【００６４】
第１の保持タブ４４は、第１のサイドパネル１６に隣接する物品Ｂを、第１のサイドパネル１６に向かって付勢、押す、または押圧し得る。第１の保持タブ４４は、第１のサイドパネル１６に隣接する物品Ｂを付勢して、第１のサイドパネル１６に形成された上部係合構造Ｔの開口部Ａ１と係合させ得る。
【００６５】
保持補助タブ４０のそれぞれは、第２のサイドパネル２０に隣接する第１の列の物品Ｂ、及び互いに向かって隣接する列の物品Ｂを奨励する効果を有し得る。図示の実施形態では、隣接する列は、第１のサイドパネル１６に隣接して配置される。
【００６６】
保持補助タブ４０は、横方向、すなわちカートン９０の管状軸に垂直な方向に物品を付勢する効果を有する。
【００６７】
このようにして、保持補助タブ４０は、物品とそれぞれの上部係合構造Ｔとの確実な係合を維持するのに有利であり得る。これにより、輸送中に物品Ｂがカートン９０内に確実に保持される。
【００６８】
保持補助タブ４０は、物品Ｂの傾斜または回転を、すなわちカートン９０の管状軸に垂直な方向に防止または抑制する効果を有し得る。
【００６９】
本開示は、物品Ｂを包装するためのカートン９０を提供する。カートン９０は、フランジ付きカップなどのフランジ付き物品Ｂのための上部係合デバイスＴを備え得る。カップは分離されていてもよいし、それぞれのフランジを介して互いに連結されていてもよい。カートン９０は、シート材料の２つの少なくとも部分的に重なり合う層から形成され、内層２２及び外層１２／１４を含む複合壁１２／１４／２２を備える。カートン９０は、上部壁１８、第１の側壁１６、底部壁１２／１４／２２、及び第２の側壁２０を含み得る管状構造の壁を形成する複数のパネルを備え、任意選択で、線形直列に互いにヒンジ連結されている。
【００７０】
カートン９０は、物品Ｂの第１の列の物品Ｂに係合するための第１の保持機構Ｈ１と、物品Ｂを第２の列の物品Ｂに係合させるための第２保持機構Ｈ２と、を備え、第２列の物品Ｂは、物品Ｂの第１の列に隣接して配置されている。
【００７１】
第１の保持機構Ｈ１は、第１の保持タブ４４を備える。第２の保持機構Ｈ２は、第２の保持タブ５０を備える。第１の保持タブ４４は、第２の保持タブ５０と反対にヒンジ連結される。
【００７２】
底部パネル１２／１４は、近位部分、第１のヒンジ連結１３によって近位部分にヒンジ連結された遠位部分、及び、第３の保持機構Ｈ３を備える。第３の保持機構Ｈ３は、物品Ｂに係合するための保持補助タブ４０を備える。保持補助タブ４０は、少なくとも近位パネル部分１４から形成され、遠位パネル部分１２にヒンジ式に連結される。
【００７３】
保持補助タブ４０は、第２の保持タブ５０とは反対側にヒンジ連結されている。
【００７４】
図５Ｂに示すように、保持補助タブ４０は、保持補助具Ｈ２と整列して配置され、保持補助タブ４０及び保持補助具Ｈ２は、第１の折り目線に垂直な一般的概念線Ｌ上に配置される。一般的概念線Ｌは、物品Ｂの列のそれぞれにおける物品Ｂの中心を通って延在し、前記物品は、カートン９０の管状構造に対して横方向に互いに隣接している。
【００７５】
第１の保持タブ４４は、第１の物品Ｂに対して半径方向外向きの方向で第１に物品Ｂと係合する。
【００７６】
保持補助タブ４０は、第２の物品Ｂに対して半径方向外向きの方向で第１の物品Ｂに隣接する第２の物品Ｂと係合する。
【００７７】
第２の保持タブ５０は、第２の物品Ｂに対して半径方向外向きの方向で第２の物品Ｂと係合する。
【００７８】
本開示は、トップパネル１８、底部パネル１２／１４、及び、第１及び第２のサイドパネル１６、２０を備える、物品を包装するための物品キャリア９０を提供する。底部パネル１２／１４は、第１の折り目線１５に沿って第１のサイドパネル１６にヒンジ式に連結され、第２のサイドパネル２０に向かって延在する。保持機構Ｈ２は、物品と係合するために少なくとも第２のサイドパネルに配置される。底部パネル１２／１４は、第１の折り目線１５と平行に間隔を置いて延在する第２の折り目線１３に沿って遠位パネル部分１２にヒンジ連結された近位パネル部分１４を備える。底部パネル１２／１４は、物品Ｂを係合するための保持補助タブ４４を備える。保持補助タブ４４は、少なくとも近位パネル部分１４から形成され、遠位パネル部分１２にヒンジ式に連結される。保持補助タブ４４は、保持補助具Ｈ２と整列して配置され、これにより、保持補助タブ４４及び保持機構Ｈ２は、第１の折り目線に対して垂直な一般的概念線Ｌ上に配置される。
【００７９】
一般的概念線Ｌは、保持補助タブと遠位パネル部分１２との間のヒンジ連結の長手方向の中点を通過し得る。
【００８０】
一般的概念線Ｌは、保持補助タブ４４によって係合されている物品Ｂの中心を通過し得る。
【００８１】
本開示の利点は、隣接する列の物品Ｂ間の空隙に形成される中央キールまたはスペーサ構造の必要性が回避または無効にされることであり、これにより、カートン９０及びブランク１０を製造するのに必要な材料が削減される。
【００８２】
本発明の範囲内で様々な変更が行われ得ることを理解され得る。例えば、パネル及び開口部のサイズ及び形状は、異なるサイズまたは形状の物品に対応するように調整され得る。
【００８３】
本明細書で使用される場合、「トップ」、「底部」、「底部」、「前」、「後」、「端」、「側面」、「内側」、「外側」、「上」及び「下」などの方向参照は、それぞれのパネルを必ずしもそのような方向に限定するものではなく、単にこれらのパネルを互いに区別するのに役立つだけであり得る。
【００８４】
本明細書で使用される場合、「ヒンジ連結」及び「折り目線」という用語は、ブランクのヒンジ機能を定義する、ブランクの部分の互いに対する折り曲げを容易にする、或いは、ブランクの最適なパネル折り曲げ位置を示す、あらゆる種類の線を指す。「ヒンジ連結」との言及は、必ずしも単一の折り目線のみを指すと解釈されるべきではない。実際、ヒンジ連結は、２つ以上の折り目線から形成され得、２つ以上の折り目線それぞれは、形状が直線／線形または湾曲／曲線のいずれであってもよい。線形の折り目線がヒンジ連結を形成する場合、それらは互いに平行に配置されるか、または互いに対してわずかに角度が付けられ得る。曲線の折り目線がヒンジ連結を形成する場合、それらは互いに交差して、曲線状の折り目線で囲まれた領域内に成形パネルを画定し得る。このようなヒンジ連結の典型的な例は、それらがそれらの間に楕円形パネルを画定するように２点で交差する一対のアーチ状または弓状折り目線を備え得る。ヒンジ連結は、１つ以上の線形の折り目線及び１つ以上の曲線の折り目線から形成され得る。そのようなヒンジ連結の典型的な例は、それらがその間に半月形のパネルを画定するように２点で交差する線形の折り目線と弓状または弓状折り目線の組み合わせを含むことができる。ヒンジ連結は、１つ以上の線形の折り目線及び１つ以上の曲線の折り目線から形成され得る。そのようなヒンジ連結の典型的な例は、それらがその間に半月形のパネルを画定するように２点で交差する線形の折り目線とアーチ状または弓状折り目線の組み合わせを備え得る。
【００８５】
本明細書で使用される場合、「折り目線」という用語は、スコア線、エンボス線、デボス線、ミシン目線、短いスリットの線、ハーフカットの線、単一の線ハーフカット、中断されたカットライン、整列したスリットの線、スコアの線、及び、前述のオプションの任意の組み合わせのいずれかを指し得る。
【００８６】
ヒンジ連結及び折り目線はそれぞれ、ミシン目、ミシン目の線、短いスリットの線、ハーフカットの線、単一のハーフカット、カットライン、中断されたカットライン、スリット、スコア、これらの任意の組み合わせなどを含む、ブランクの基材に形成された要素を含み得ることを理解されたい。要素は、必要な機能を提供するように寸法決めされ、配置され得る。例えば、ミシン目の線は、折り目線及び／またはカットラインを画定するように、ある程度の弱さで寸法設定または設計される。ミシン目の線は、折り曲げは容易にして破断には抵抗するように、折り曲げを容易にしてより簡単に破断を容易にするように、または簡単に破断を容易にするように設計され得る。
【００８７】
本明細書で使用する「と一致する」という語句は、組み立てられたカートン内の２つ以上の要素が揃えられること、例えば２つの重なり合うパネルの第１の方に形成される開口部及び２つの重なり合うパネルの第２の方に形成される第２の開口部を指す。互いに一致するこれらの要素は、重なり合うパネルの厚さの方向に互いに揃えられ得る。例えば、第１パネルの開口部が、第１パネルと重複して配置されている第２のパネルの第２の開口部と「一致する」場合、開口部のエッジは、第２の開口部のエッジの一部分に沿って延在し得、かつ、第１及び第２のパネルの厚さの方向に、第２の開口部と揃えられ得る。
【符号の説明】
【００８８】
１０  ブランク
１１  折り目線
１２  底部パネル、遠位パネル部分
１３  折り目線
１４  底部パネル、近位パネル部分
１５  折り目線
１６  第１のサイドパネル、第１の側壁
１７  折り目線
１８  トップパネル、上部壁
１９  折り目線
２０  第２のサイドパ、ネル第２の側壁
２１  折り目線
２２  第２の底部パネル
３０  カットライン
４０  保持補助タブ
４１  カットライン
４３  折り目線
４４  第１の保持タブ、保持補助タブ
４９  カットライン
５０  第２の保持タブ、保持補助タブ
５１  折り目線
５３  カットライン
５５  カットライン
５７  カットライン
６２  折り目線
６４  折り目線
６６  折り目線
６８  折り目線
９０  物品キャリア、カートン
【図１】
2021510136.tif 000003
【図２】
2021510136.tif 000004
【図３Ａ】
2021510136.tif 000005
【図３Ｂ】
2021510136.tif 000006
【図４】
2021510136.tif 000007
【図５Ａ】
2021510136.tif 000008
【図５Ｂ】
2021510136.tif 000009
【国際調査報告】
2021510136.tif 000010
2021510136.tif 000011